(57)【要約】【課題】  装置の設置面積を縮小させ、さらに操作性を良くし、装置コストを抑えることができる画像読取記録装置を提供すること。【解決手段】  シート状原稿反転搬送手段と原稿排出手段を含む原稿搬送機構と読取手段とを備える読取部と、記録部からなる画像読取記録装置に於いて、前記画像読取記録装置の操作入力を行う操作手段及び表示部を、前記原稿反転搬送手段の上部に設ける。【選択図】  図２
2005333448.tif 000002
【特許請求の範囲】
【請求項１】
シート状原稿を反転させながら搬送する反転搬送手段と原稿排出手段からなる原稿搬送機構と読取手段とを備える読取部と、記録部からなる画像読取記録装置に於いて、
前記画像読取記録装置の操作入力を行う操作手段及び表示部を、前記原稿反転搬送手段の上部に配設したことを特徴とする画像読取記録装置。
【請求項２】
前記記録部は、電子写真記録であること特徴とする請求項１記載の画像読取記録装置。
【発明の詳細な説明】
【技術分野】
【０００１】
本発明は原稿から画像情報を読取るための画像読取部と、画像を形成して記録媒体に記録する画像形成部とを有する、複写機、ファクシミリ、多機能プリンター等の画像読取記録装置に関する。
【背景技術】
【０００２】
図３、４では、Ｕターン原稿搬送系の画像読取装置２の左側に本装置の操作パネルが配置されている（例えば、特許文献１参照。）。
【０００３】
図５、６では、Ｕターン原稿搬送系の画像読取装置４の手前側に本装置の操作音パネル配置されている。（例えば、特許文献２参照）
【特許文献１】実開平０５−００５４６４
【特許文献２】特開平０９−２００３９９
【発明の開示】
【発明が解決しようとする課題】
【０００４】
しかしながら、図３、４のような装置構成の場合では、操作パネルの分だけ装置の幅が大きくなってしまう。同様に図５、図６のような装置構成の場合では、操作パネルの分だけ装置手前幅が大きくなってしまう。
【０００５】
従来でのＵターン読取機構は、大型製品や、高価な製品に搭載されている場合が多い。
【０００６】
本提案はＵターン読取を搭載した装置の操作性向上させ、装置の設置面積を縮小させ、装置を小型化として、装置コストを抑えた画像読取記録装置を提供することを目的とする。
【課題を解決するための手段】
【０００７】
本発明は、シート状原稿反転搬送手段と原稿排出手段からなる原稿搬送機構と読取手段とを備える読取部と、記録部からなる画像読取記録装置に於いて、前記画像読取記録装置の操作入力を行う操作手段及び表示部を、前記原稿反転搬送手段の上部に配設したことを特徴とする。
【発明の効果】
【０００８】
請求項１記載の発明によれば、装置の設置面積を縮小させ、さらに操作性を良くして、部品を共有することで、装置コストを抑えることが実現できる。
【発明を実施するための最良の形態】
【０００９】
本発明に係る第１の実施例としてコピー及びプリンタ機能を備えたファクシミリに適用した例を、図面を参照して具体的に説明する。説明の順序として、以下の順に説明する。
【００１０】
（１）ファクシミリの全体構成、（２）画像を読取るための読取装置の構成、（３）情報を記録するための画像形成装置の構成
（１）ファクシミリの全体構成
図１は本発明に係るファクシミリの外観斜視図であり、図２はその構成断面図である。
【００１１】
このファクシミリは、図に示すように、装置手前側に画像読取装置Ａを有し、その背面に画像形成装置Ｂを配置している。そしてコピーモードの場合には画像読取装置Ａで読取った画像情報を自己の画像形成装置Ｂで記録し、プリンターモードの場合にはホストＰＣからの画像情報を画像形成装置Ｂで記録する。
【００１２】
画像読取装置Ａは、原稿記載情報を読取るものであり、原稿トレイ１１に画像情報面を上側にして載置された複数枚の原稿Ｄ１を、原稿搬送部１３によって最上位のものから一枚づつ右方向に搬送し、原稿搬送部１３内で反転させ、読取位置に停止した読取手段１５によって画像情報を読取る。その後、画像を読取られた原稿は原稿搬送部１３で左方向に搬送され、装置外へ排出される。
【００１３】
画像形成装置Ｂは、光学系１から画像情報に基づいた光像を照射して像担持体である感光体ドラム７に静電潜像を形成し、プロセスカートリッジＣとしてカートリッジ化された画像形成部において前記感光体ドラム７に形成した静電潜像を現像剤（トナー）で現像しトナー像を形成する。このプロセスカートリッジＣは、開閉部材８を上方に開放することにより、図中Ｘ方向に着脱可能に構成している。光学系１を画像読取装置ＡとプロセスカートリッジＣとの間に配置し、さらに上記プロセスカートリッジＣの着脱空間を光学系１とプロセスカートリッジＣの間に設けることで、プロセスカートリッジＣの着脱操作を容易にすることができる。
【００１４】
そして、前記トナー像の形成と同期して記録紙Ｐを本体底部に配置した記録紙給紙部２より給紙し、搬送手段３によって搬送し、転写手段４によってトナー像を記録紙Ｐに転写し、その記録紙Ｐを定着手段５に搬送し、転写トナー像を定着して排紙手段６よって記録紙トレイ６ａへ排出する。定着手段５をプロセスカートリッジＣの上方に配置することで、定着による熱が装置内にこもることなく、装置外へ放出することができる。
【００１５】
本発明の最も特徴となる所の操作指示を入力するためのキー類や動作状況を表示する表示部を備えた操作部２１は、装置側面に配設している。
【００１６】
（２）読取装置の構成
図１、図２を参照して原稿読取装置Ａの構成および動作を説明する。
【００１７】
原稿読取装置Ａの原稿読取搬送部１３には、略Ｕ字状の原稿搬送路（以下、Ｕターンパスという）１３ａを有し、このＵターンパス１３ａには、分離ローラ１３ｂ及び分離パット１３ｃ、原稿Ｄ１の有無を検出する原稿有無センサ１３ｄ、原稿Ｄ１を搬送する搬送ローラ１３ｅ及び排紙ローラ対１３ｆ、及び、原稿Ｄ１の先端部及び後端部を検出する原稿エッジセンサ１３ｇ等が取り付けられた構成となっている。
【００１８】
密着型イメージセンサ１５は、光源としてのＬＥＤアレイから原稿Ｄ１の画像情報面に光を照射し、画像情報面で反射した反射光をセルフォックレンズ（商標）でセンサ素子に結像して画像情報を読取るものである。
【００１９】
この原稿搬送部１３においては、操作者が原稿Ｄ１を原稿トレイ１１に載置するとき、原稿Ｄ１の読取画像面を上側にして装置の手前側からセットされるようになっており、原稿有無センサ１３ｄにより原稿Ｄ１が有ることが検知される。
【００２０】
そして、操作者が操作部２１から読取開始を指示すると、不図示の駆動部が回転し、分離ローラ１３ｂおよび分離パット１３ｃによって原稿Ｄ１が１枚ずつに分離され、最上位の原稿Ｄ１が分離搬送される。また、分離された原稿Ｄ１が搬送ローラ１３ｅによって、Ｕターンパス１３ａに沿って搬送され、さらに密着型イメージセンサ１５の読取部へ搬送される。
【００２１】
原稿搬送部１３では、原稿エッジセンサ１３ｇにより原稿Ｄ１の先端部が検知されると、その位置から所定量搬送されたところで、密着型イメージセンサ１５による画像情報の読取りが開始される。その時原稿Ｄ１は、読取白地板１３ｈに押圧されて読取られている。
【００２２】
読取開始後、原稿は排紙ローラ対１３ｆに向かう。
【００２３】
そして、原稿エッジセンサ１３ｇにより原稿Ｄ１の後端部が検知されると、その位置から所定量搬送されたところで、密着型イメージセンサ１５による画像情報の読取りを終了する。そして、当該原稿Ｄ１は、排紙ローラ対１３ｆによって装置外へ排出される。
【００２４】
このようにして、原稿読取装置Ａでは、原稿有無センサ１３ｄが原稿無しを検知するまで上述した読取動作を繰り返す。
【００２５】
（３）画像形成装置の構成
記録信号に応じて画像を形成する画像形成装置Ｂの各部の構成について、＜１＞光学系、＜２＞記録紙搬送手段、＜３＞転写手段、＜４＞定着手段、＜５＞排紙手段、＜６＞プロセスカートリッジ装着手段の順に説明する。
【００２６】
＜１＞光学系
光学系１は外部装置等から読み込んだ画像情報に基づいて光照射することによって感光体ドラム７へ光像を照射するものであり、図２に示すように、光学ユニット１ａ内にレーザーダイオード（不図示）、ポリゴンミラー１ｂ、スキャナーモータ１ｃ、結像レンズ１ｄが収納してある。
【００２７】
そして例えば自機の画像読取装置から画像信号が与えられると、レーザーダイオードが前記画像信号に応じて発光し、ポリゴンミラー１ｂに画像光として照射する。このポリゴンミラー１ｂはスキャナーモータ１ｃによって高速回転し、該ポリゴンミラー１ｂで反射した画像光が結像レンズ１ｄを介して回転する感光体ドラム７へ照射し、感光ドラム７の表面を選択的に露光して画像情報に応じた静電潜像を形成する。
【００２８】
＜２＞記録紙搬送手段
本実施例におけるファクシミリの場合は、装置底部に横たわり記録紙の一部を装置前面（図２で左側）から突出させた記録紙給紙部２を有する。記録紙給紙部２には、装置本体内部に設けられた記録紙積載台２ａがある。記録紙積載台２ａには記録紙Ｐの搬送方向と直角方向（記録紙Ｐの幅方向）にスライド可能に設けられたマルチスライダー２ｂにより、Ａ４サイズやレターサイズ等の定型サイズ紙はもとより葉書や封筒といった不定形サイズの記録媒体をサポートでき、記録紙給紙部２に載置された記録紙Ｐの両サイドを揃える事ができる。
【００２９】
記録紙Ｐを搬送するための搬送手段３は、画像形成装置Ｂの装置奥側下方に配置され、記録紙給紙部２に載置した記録紙Ｐの最上位の１枚を、記録紙Ｐの先端部に設けたピックアップローラ３ａと、押圧ばね３ｃによって圧接された分離パッド３ｂにて一枚ずつ分離して、画像転写部に搬送する。そして、画像転写後の記録紙Ｐを定着手段５に搬送し、定着後の記録紙Ｐは排紙手段６によって排出される。
【００３０】
＜３＞転写手段
転写手段４は画像形成部で感光体ドラム７に形成されたトナー像を記録紙Ｐに転写するものであり、本実施例の転写手段４は図２に示すように、転写ローラ４ａによって構成している。即ち、装着したプロセスカートリッジＣの感光体ドラム７に転写ローラ４ａによって記録紙Ｐを押圧し、該転写ローラ４ａに感光体ドラム７に形成されたトナー像と逆極性の電圧を印加することにより、感光体ドラム７上のトナーを記録紙Ｐに転写する。
【００３１】
＜４＞定着手段
定着手段５は前記転写ローラ４ａの電圧印加によって記録紙Ｐに転写したトナー像を定着させるものである。その構成は図２に示すように、駆動回転する駆動ローラ５ａと、定着部材５ｂとからなる。即ち、画像形成部でトナー像を転写された記録紙Ｐが前記駆動ローラ５ａと定着部材５ｂ間を通過する際に、両者５ａ，５ｂの押圧によって圧力が印加され、且つヒータ５ｂの発熱によって熱を印加され、記録紙Ｐ上のトナーが記録紙Ｐに定着する。
【００３２】
＜５＞排紙手段
トナー像を定着された記録紙Ｐは排紙手段６によって、記録画像面が下向きのフェイスダウン状態で記録紙トレイ６ａに積載される。
【００３３】
定着手段５によって画像を定着された記録紙Ｐは、排紙ローラ対６ｂによって記録紙トレイ６ａの上に印字面を下側にしてページ順に積載される。
【００３４】
＜６＞プロセスカートリッジ装着手段
画像形成装置Ｂ内にはプロセスカートリッジＣを装着するためのカートリッジ装着手段が設けてあり、プロセスカートリッジＣの装置本体に対する着脱は、開閉部材８を装置上方向に開くことによって行う。画像形成装置Ｂには搬送手段３、定着手段５、排紙手段６、プロセスカートリッジＣを駆動するための駆動手段が配設され、この駆動手段は、駆動源としてのモータからの駆動力をギア列によって各回転体を駆動する。
【図面の簡単な説明】
【００３５】
【図１】画像読取記録装置の外観斜視図
【図２】画像読取記録装置の構成断面図
【図３】画像読取記録装置の従来例
【図４】画像読取記録装置の従来例
【図５】画像読取記録装置の従来例
【図６】画像読取記録装置の従来例
【符号の説明】
【００３６】
Ａ  画像読取装置
Ｂ  画像形成装置
Ｃ  プロセスカートリッジ
Ｄ１  原稿
Ｐ  記録紙
１  光学系
１ａ  光学ユニット
１ｂ  ポリゴンミラー
１ｃ  スキャナーモータ
１ｄ  結像レンズ
２  記録紙給紙部
２ａ  記録紙積載台
２ｂ  マルチスライダー
３  搬送手段
３ａ  ピックアップローラ
３ｂ  分離パッド
３ｃ  押圧ばね
４  転写手段
４ａ  転写ローラ
５  定着手段
５ａ  駆動ローラ
５ｂ  定着部材
６  排紙手段
６ａ記録紙トレイ
６ｂ  排紙ローラ対
６ｃ  定着排紙ローラ対
７  感光ドラム
８  開閉部材
１１  原稿トレイ
１３  原稿搬送部
１３ａ  略Ｕ字状の原稿搬送路（Ｕターンパス）
１３ｂ  分離ローラ
１３ｃ  分離パット
１３ｄ  原稿有無センサ
１３ｅ  搬送ローラ
１３ｆ  排紙ローラ対
１３ｇ  原稿エッジセンサ
１３ｈ  読取白地板
１５  密着型イメージセンサ
２１  操作部
【図１】
2005333448.tif 000003
【図２】
2005333448.tif 000004
【図３】
2005333448.tif 000005
【図４】
2005333448.tif 000006
【図５】
2005333448.tif 000007
【図６】
2005333448.tif 000008